(57)【要約】【課題】一体となったモータとポンプがケーシング内に納められ、ポンプの吐出した取扱い流体がケーシング内を通ってモータ後端より吐出されるモータポンプにおいて、このモータポンプを鉛直に配置しても水平に配置しても内部の気体が容易に排出されるようにする。【解決手段】モータポンプ１０は、一体となった多段遠心ポンプとモータ２２をケーシング１６に納めて構成される。ポンプにより吐出された取扱い流体は、ケーシング内を通ってモータの後端に送られる。ケーシングのモータ後端部には、配管３８が設けられている。配管３８のケーシング１６に対する接続位置は、モータポンプ１０を鉛直に配置した場合にケーシングの最も高い位置である。この接続位置は、モータポンプ１０を水平に配置した場合にも、ケーシングの最も高い位置とすることができる位置である。【選択図】図１
2006177327.tif 000002
【特許請求の範囲】
【請求項１】
ターボポンプと、このターボポンプと同軸配置されこれを駆動するモータと、これらターボポンプとモータを納める略円筒形のケーシングとを有し、液化ガスを移送するモータポンプであって、
当該ターボポンプが吐出し、ケーシング内を通ってモータの後端に送られた取扱い流体をケーシングより送り出す吐出管を有し、
吐出管は、当該モータポンプの軸線が鉛直となるように配置したとき、および水平となるように配置したとき、いずれのときにあっても、ケーシングの最も高い位置とすることができる部位に接続されている、
モータポンプ。
【請求項２】
ターボポンプと、このターボポンプと同軸配置されこれを駆動するモータと、これらターボポンプとモータを納める略円筒形のケーシングとを有し、液化ガスを移送するモータポンプであって、
当該ターボポンプが吐出し、ケーシング内を通ってモータの後端に送られた取扱い流体を、いずれか一方が、ケーシングより送り出す第１配管および第２配管と、
第１配管は、当該モータポンプの軸線が鉛直となるように配置したとき、および水平となるように配置したとき、いずれのときにあっても、ケーシングの最も高い位置とすることができる部位に接続され、
第２配管は、当該モータポンプの軸線が水平となるように配置したとき、ケーシングの最も高い位置とすることができる部位に接続され、
第１および第２配管は、これらの軸線が、それぞれ当該モータポンプの径方向に沿い、互いに略９０°異なる向きに配置され、これらの配管のうち、高い位置に位置するものが取扱い流体を吐出する吐出管として機能し、他のものはモータに電力を供給する電力線を導く導管として機能する、
モータポンプ。
【発明の詳細な説明】
【技術分野】
【０００１】
本発明は、液化ガスを送る、遠心ポンプや斜流ポンプや軸流ポンプなどのターボポンプと、このターボポンプを駆動するモータとが一体となったモータポンプに関する。
【背景技術】
【０００２】
従来、液化天然ガス（ＬＮＧ）、液化窒素、液化アルゴンなどを移送するポンプは、サクションポットと呼ばれる圧力容器の中にモータとポンプを一体としたモータポンプを浸漬したサブマージドポンプが使用されている。下記特許文献１に、液化ガスを移送するサブマージドポンプが示されている。
【０００３】
【特許文献１】特開平７−１１９６７９号公報
【発明の開示】
【発明が解決しようとする課題】
【０００４】
サブマージドポンプは、一般的には、サクションポット内に吊り下げるようにして配置されるため、ポンプおよびモータの軸線は鉛直方向に配置される。したがって、設置にあたっては、高さ方向に十分なスペースを要する。ＬＮＧ基地など地上設備に設置する場合にあっては、地面を掘り下げて設置することも可能であるが、タンクローリー車に設置するなど、設置場所が限定される場合には、軸線を水平方向にする必要がある場合がある。液化ガスを取り扱う場合、気化した成分をポンプおよびモータ内に留まらすことなく効率よく排出する必要がある。
【０００５】
本発明は、ポンプおよびモータの軸線を延長方向にも水平方向にも設置可能なモータポンプを提供する。
【課題を解決するための手段】
【０００６】
本発明にかかるモータポンプは、ターボポンプと、同軸配置されこれを駆動するモータと、これらのポンプとモータを納める略円筒状のケーシングを有し、モータの後端付近のケーシングの、ポンプとモータの軸線を鉛直にした場合、水平にした場合、双方において、最も高い位置となる部位に、取扱い流体を吐出する吐出管が接続される。これにより、モータポンプ内部に、液化ガスが気化したガスが溜まることなく排出される。
【０００７】
また、本発明にかかる他のモータポンプは、ターボポンプと、同軸配置されこれを駆動するモータと、これらのポンプとモータを納める略円筒状のケーシングを有し、ケーシングのモータ後端付近に、二つの配管が接続される。二つの配管の少なくとも一方は、当該ターボポンプの軸線を鉛直に配置したとき、ケーシングの最も高い位置に接続される。水平に配置したときには、モータポンプの配置の仕方に応じて、一方の配管の接続位置がケーシングの最も高い位置となるようにも、他方の配管の接続位置が最も高い位置となるようにもできる位置に配管が接続されている。また、二つの配管は、当該モータポンプの軸線に直交する方向に延びて配置され、互いに略９０°となる位置関係となっている。接続位置が高い方の配管を取扱い液を吐出する吐出管として使用し、もう一方の配管をモータに電力を供給する電力線の導管として使用する。略９０°で配置された二つの配管を設けたことにより、同一のモータポンプが、電力を右側から供給する設置場所にも左側から供給する設置場所にも、対応することができる。
【発明を実施するための最良の形態】
【０００８】
以下、本発明の実施形態を、図面に従って説明する。図１は、本実施形態のモータポンプ１０の概略構成を示す図である。モータポンプ１０は、３段の遠心ポンプからなるポンプ部１２と、これを駆動するモータを有するモータ部１４を含み、更にこれらを納めるケーシング１６を有している。
【０００９】
ポンプ部１２の個々の遠心ポンプのインペラ１８は、共通のシャフト２０に固定されており、このシャフト２０は、モータ部１４のモータ２２のシャフトと一体となっている。モータ２２は、そのステータ２４がモータジャケット２６に支持され、ロータ２８がシャフト２０に固定されている。モータジャケット２６は、遠心ポンプのハウジング３０に固定されている。ケーシング１６は、略円筒形の胴部３２を有し、胴部３２にはポンプ部１２の前端側（図１中下端側）に、吸込管３４が一体に形成されている。モータ部１４の後端側（図１中上端側）で胴部３２は開放しており、ケーシング１６は、この部分を覆う後端蓋３６を含む。後端蓋３６には、二つの配管３８，４０（図２参照）が一体に設けられている。
【００１０】
図２は、モータポンプ１０を後端より見た図である。二つの配管３８，４０は、同一の形状を有し、それぞれの軸線４２，４４がなす角θは、略９０°となっている。配管３８，４０の一方は、取扱い流体を吐出する吐出管となり、他方は、モータ２２に電力を供給する電力線の導管として用いられる。図１の配置においては、配管３８，４０のどちらを吐出管にしてもよいが、以降の説明を簡潔にするために、配管３８を吐出管とし、配管４０を電力線の導管とする。導管４０には、接続箱（不図示）が接続され、これによりケーシング内部と外部が封止されている。
【００１１】
遠心ポンプにより吐出された取扱い流体は、同軸に配置されたモータジャケット２６とケーシング１６の間の空間を流れ、モータ部１４の後端に達し、ここから吐出管３８へと送られる。図１のように、モータ２２または遠心ポンプの軸線４６を鉛直に配置した場合、吐出管３８は、ケーシング１６の内部空間の最も高い位置に接続されており、ケーシング１６内部の気体、例えば運転開始前に残留している気体や液化ガスが気化した気体が、速やかに排出される。
【００１２】
モータポンプ１０を横に設置する場合、すなわち軸線４６を水平にして配置した場合においても、吐出管３８を上方に向けることで、吐出管３８がケーシング１６の内部空間の最も高い位置に接続された状態とすることができる。
【００１３】
図３および図４は、モータポンプ１０を横に設置した状態を示す図である。図３において、配管３８は、上方を向き、この場合においても吐出管として用いれる。配管４０は、左側方を向いており、電力線の導管として用いられている。図４は、図３の状態から、モータポンプ１０の軸線４６を軸として９０°右回りに回転させた状態を示している。この状態において、配管４０が上方を向き、配管３８が右側方を向いている。ケーシング内部の気体を抜くために、上方を向いた配管４０を吐出管として用い、もう一方の配管３８を電力線の導管として用いる。このように、電力線の取り出し方向を変えることができるので、モータポンプを設置する際に、周囲の構造物との関係において自由度が増す。例えば、モータポンプ１０の左側に他の構造物がある場合、図３の配置では、構造物がじゃまとなって電力線を取り出せないが、図４のように向きを変えることで、電力線が取り出せるようになる。
【００１４】
なお、二つの配管３８，４０は、本実施形態において、これらの軸線４２，４４が９０°で交差するように設けられるが、図３、図４に示すように右勝手、左勝手に対応できるようであれば、他の角度であってもよい。例えば４５°であれば、電力線を斜め方向に引き出すことになる。また、本実施形態の二つの配管３８，４０は、モータポンプを鉛直に配置したとき同じ高さとなるように設けられているが、高さが異なるように設けることもできる。この場合、鉛直配置においては、高い位置にある配管が吐出管となり、他方が電力線の導管となる。
【００１５】
以上のように、本実施形態のモータポンプは、鉛直に配置した場合も、水平に配置した場合も吐出管が、最も高い位置となるように配置でき、内部の気体が自然に排出される。また、吐出管とすることができる配管二つを、その向きが略９０°となるように配置することで、水平配置の際、上方を向いた配管を吐出管とし、周囲の構造物の状況で、電力線の導管を右に出すか、左に出すかを選択することができる。
【図面の簡単な説明】
【００１６】
【図１】本実施形態のモータポンプ１０の概略構成を示す断面図である。
【図２】モータポンプ１０の後端に設けられた配管３８，４０の配置を示す図である。
【図３】モータポンプ１０を水平配置したときの状態を示す図である。
【図４】モータポンプ１０を水平配置したときの状態、特に図３の状態から９０°回転させた状態を示す図である。
【符号の説明】
【００１７】
１０  モータポンプ、１２  ポンプ部、１４  モータ部、１６  ケーシング、３８，４０  配管（吐出管，導管）。
【図１】
2006177327.tif 000003
【図２】
2006177327.tif 000004
【図３】
2006177327.tif 000005
【図４】
2006177327.tif 000006